(57)【要約】【課題】ハードディスクに保存されている保存ジョブを印刷する場合、印刷するメディアの種類を、印刷装置側で変更しても、印刷装置における負担が少ない印刷装置を提供することを目的とするものである。【解決手段】ハードディスクを搭載した印刷装置において、印刷ジョブを記憶する手段と、メディアと印字モードとの関係を示すメディア対応表を、ネットワーク上の情報管理装置から取得するメディア対応表取得手段と、上記メディア対応表において変更可能なメディアの種類を検出する種類検出手段とを有する。【選択図】図４
2008023737.tif 000002
【特許請求の範囲】
【請求項１】
ハードディスクを搭載した印刷装置において、
印刷ジョブを記憶する手段と；
メディアと印字モードとの関係を示すメディア対応表を、ネットワーク上の情報管理装置から取得するメディア対応表取得手段と；
上記メディア対応表において変更可能なメディアの種類を検出する種類検出手段と；
を有することを特徴とする印刷装置。
【請求項２】
請求項１において、
上記メディア対応表は、メディアの種類、印字モード、上記印字モードに対する画処理テーブル、解像度の情報を有する表であることを特徴とする印刷装置。
【請求項３】
請求項１において、
上記メディア対応表取得手段は、ネットワーク上の情報管理装置に設けられている最新のメディア対応表を、ユーザの指定方法に応じて取得する手段であることを特徴とする印刷装置。
【請求項４】
請求項１において、
上記種類検出手段は、保存ジョブと同じ印字モードであるメディアを検出し、選択候補として提示する手段であることを特徴とする印刷装置。
【請求項５】
請求項１において、
上記種類検出手段は、ハードディスク内の他の保存ジョブにおける画処理テーブルを置き換えることが可能なメディアも検出候補とする手段であることを特徴とする印刷装置。
【請求項６】
請求項３において、
上記ユーザの指定方法は、最新のメディア対応表をユーザが手動で取得するか、指定した時刻に自動的に最新のメディア対応表を取得するか、または等間隔でネットワーク上の情報管理装置に検索させて自動的に最新のメディア対応表を取得するかを選択可能である方法であることを特徴とする印刷装置。
【請求項７】
請求項５または請求項６において、
上記画処理テーブルの置き換えは、ハードディスク内の保存ジョブのプリントファイルから、画処理テーブルのみを取り出し、この取り出した画処理テーブルを置き換える置き換えであることを特徴とする印刷装置。
【請求項８】
ハードディスクを搭載した印刷装置を制御する方法において、
印刷ジョブを記憶する工程と；
メディアと印字モードとの関係を示すメディア対応表を記憶する記憶工程と；
ネットワーク上の情報管理装置から、上記メディア対応表を取得する取得工程と；
上記メディア対応表において変更可能なメディアの種類を検出する種類検出工程と；
を有することを特徴とする印刷装置の制御方法。
【発明の詳細な説明】
【技術分野】
【０００１】
本発明は、ハードディスクを搭載している印刷装置の保存ジョブを再印刷するときに、メディアの種類を再選択する装置およびプリントジョブの画処理テーブルを取得する装置に関する。
【背景技術】
【０００２】
ハードディスク搭載印刷装置に保存されているジョブを印刷するときは、最初に印刷されたジョブと全く等しいメディアであり、しかも、その他同じ条件である場合にのみ、印刷することができる。
【０００３】
従来技術では、印刷プロパティを印刷装置側で変更する機能がある。印刷ジョブのデータ処理を、ほぼ印刷装置側に行わせ、また、画処理テーブルをネットワークから取得することによって、自由に変更することができる（たとえば、特許文献１参照）。
【特許文献１】特開２００４−７４６９７号公報
【発明の開示】
【発明が解決しようとする課題】
【０００４】
上記従来例では、ハードディスクに保存されている保存ジョブを印刷する場合、印刷するメディアの種類を、印刷装置側で変更すると、データの大半を印刷装置側に持たせているので、印刷装置における負担が多いという問題がある。
【０００５】
印刷装置で選択させる上でも、常に新しいメディアの種類に対応させることが課題である。また、できるだけ選択できるメディアの種類を増やす必要がある。
【０００６】
本発明は、ハードディスクに保存されている保存ジョブを印刷する場合、印刷するメディアの種類を、印刷装置側で変更しても、印刷装置における負担が少ない印刷装置を提供することを目的とするものである。
【課題を解決するための手段】
【０００７】
本発明は、ハードディスクを搭載した印刷装置において、印刷ジョブを記憶する手段と、メディアと印字モードとの関係を示すメディア対応表を、ネットワーク上の情報管理装置から取得するメディア対応表取得手段とを有する。また、本発明は、上記メディア対応表において変更可能なメディアの種類を検出する種類検出手段を有する。
【発明の効果】
【０００８】
本発明によれば、ハードディスクに保存されている保存ジョブを印刷する場合、印刷するメディアの種類を、印刷装置側で変更しても、印刷装置における負担が少ないという効果を奏する。
【発明を実施するための最良の形態】
【０００９】
発明を実施するための最良の形態は、次の実施例である。
【実施例１】
【００１０】
図１は、本発明の実施例１である印刷装置１００とホストコンピュータ２００と情報管理装置３００とを示すブロック図である。
【００１１】
ハードディスクを搭載した印刷装置１００において、保存ジョブを印刷するときに、一度印刷したジョブについて、メディアを変更することができるようにする。この場合、プリンタ側に種々のデータを与えると、プリンタ側の負荷が多くなるので、少ないデータ（一度印刷したジョブと同じようなジョブ）で、印刷するようにし、これによって、プリンタ側の負荷もユーザの負担も同時に軽減することができるようにする。
【００１２】
つまり、保存ジョブを印刷するときに、ハードディスク内に格納されている印字モード内の細かい設定とメディアとの対応表を参照し、同じような条件を具備しているメディアを選択可能メディアの候補としてユーザに提示する。そして、他の保存ジョブから画処理テーブルを抽出し、利用することによって、選択可能メディアの候補を増やす。また、ネットワークを介して、メディア対応表を随時更新する。
【００１３】
印刷装置１００は、ＣＰＵ１０と、ＲＯＭ２０と、ＲＡＭ３０と、操作パネル４０と、ネットワークインタフェース５０と、ハードディスク６０と、プリンタエンジン７０とを有する。
【００１４】
ハードディスク６０には、保存ジョブ６１とメディア対応表６２とが格納されている。
【００１５】
ＣＰＵ１０は、印刷装置１００の処理を司り、データをＲＯＭ２０、ＲＡＭ３０に記憶させることによって、プリンタエンジン７０に命令を送り、印刷させる。
【００１６】
図２は、実施例１において、ホストコンピュータ２００から印刷装置１００へ送られるプリントファイル８０の構造例を示す図である。
【００１７】
ハードディスク６０は、一度印刷されたジョブに書かれた情報は、保存ジョブ６１としてハードディスクに蓄えられる。なお、上記保存ジョブ（一度印刷されたジョブ）６１は、図２に示すプリントファイル８０である。
【００１８】
メディア対応表６２は、ハードディスク６０に保存されているメディアの種類と印字モード等の対応を示す表である。
【００１９】
図３は、実施例１におけるメディア対応表６２の例を示す図である。
【００２０】
印刷装置１００は、ネットワークＮＷ１を介して、ホストコンピュータ２００、情報管理装置３００と接続されている。ユーザは、印刷装置１００の操作パネル４０において、メディアの種類変更他、さまざまな設定を行うことができる。
【００２１】
ホストコンピュータ２００からインタフェース５０を通して送られたジョブは、一度、ハードディスク６０に保存され、再度印刷するときに、操作パネル４０を介して、ジョブを指定し、印刷することができる。つまり、印刷するときは、操作パネル４０で印刷部数他、いくつかのプリントプロパティを選択する。
【００２２】
プリントファイル８０は、印刷ジョブの情報を全て含み、プリントファイル８０のヘッダ８１と、ジョブの各種情報８２と、画処理テーブル８３と、画像データ８４と、プリントファイル８０のフッタ８５とを有する。
【００２３】
ジョブの各種情報８２は、印刷するメディアの種類やサイズ、印刷品質等、印字モードを決定する内容を含んでいる。画処理テーブル８３は、ホストコンピュータ２００から送る画像またはドキュメントを、印刷装置１００で変換する変換テーブルである。画像データ８４は、印刷しようとしている画像またはドキュメントのデータであり、各ピクセル各色を数ｂｉｔで表わす。
【００２４】
メディア対応表６２は、メディアと印字モードとの対応表であり、ハードディスク６０に格納されている。メディア対応表６２には、印字モードに対する細かい設定と、対応メディアとが格納されている。また、ネットワークを検索し、メディア対応表６２を随時、更新することができる。
【００２５】
ホストコンピュータ２００は、印刷しようとしている画像やドキュメントのデータや命令を、ネットワークインタフェース５０を介して、印刷装置１００に送る。
【００２６】
次に、印刷装置１００の動作について説明する。
【００２７】
図４は、印刷装置１００が保存ジョブを印刷する場合における動作を示すフローチャートである。
【００２８】
Ｓ１で、印刷しようとしている保存ジョブ６１の印字モードを確認する。保存ジョブ６１に格納されている各種情報の中から、印字モードを取り出す。Ｓ２で、メディア対応表６２から、Ｓ１で取り出された保存ジョブの印字モードと同じ印字モードのメディアの種類を取得する。
【００２９】
Ｓ３で、取得されたメディア種類を全て、選択可能なメディアとして、操作パネル４０のリストボックスに追加する。Ｓ４で、印刷装置１００のハードディスク６０の中に、印刷しようとしている保存ジョブ以外に別の保存ジョブが格納されているかどうかを判断する。保存ジョブが他にも格納されていると判断されれば、Ｓ５で、その全ての保存ジョブに対して、Ｓ１、Ｓ２と同じように、印字モードを取得し、メディア対応表６２からメディアを取得する。
【００３０】
Ｓ６で、これら取得されたメディアを、印刷するときに選択可能なメディアとして、操作パネル４０のリストボックスに追加する。
【００３１】
Ｓ７で、操作パネル４０に表示されている選択可能なメディアの種類から、ユーザがメディアを決定する。Ｓ８で、選択されたメディアの種類に合わせて、印刷しようとしている保存ジョブのプリントファイル８０を書き換える。
【００３２】
図５は、実施例１の動作を概念的に示す図である。
【００３３】
ハードディスク６０の保存ジョブ６１を印刷するときに、ハードディスク６０に格納されている保存ジョブ６１とメディア対応表６２とを取り出す。印刷する保存ジョブ６１のメディアの種類について、メディア対応表６２から同じ条件の種類だけをリストアップし、メディアの種類を選択できる候補を増やす。選択可能なメディアは、上記リストボックスに格納され、パネルで選ぶことができるので、ユーザは、リストボックスに格納されているメディアの中から、変更したいメディアを、操作パネル４０を介して、自由に選ぶことができる。
【００３４】
また、全く同じ条件でなくても、メディアの種類を切り替えるパターンが２つある。この２つのパターンは、解像度が低くなるだけのパターンと、プリントファイル８０に表される保存ジョブ６１の画処理テーブルを置き替えるパターンとである。
【００３５】
メディア対応表６２には、印字モードに対して細かい設定が格納され、その中で、解像度が低くなるだけの条件のものは、メディアの種類を変更させるものであると考え、選択可能にする。
【００３６】
メディア対応表６２から選択できるメディアの種類を追加した後に、ハードディスク６０内に、他にも保存ジョブ６１が残っていれば、この残っている保存ジョブ６１から画処理テーブルを取り出す。取り出した画処理テーブルを置き換えるだけで足りるメディアの種類であれば、上記と同様に、選択可能なメディアであると考えて、上記リストボックスに格納する。
【００３７】
選択されたメディアが、元の保存ジョブ６１と同じであり、変更されていない場合、そのままのプリントファイル８０を展開し、印刷する。メディア対応表６２から取り出したメディアである場合は、プリントファイル８０にメディア情報のみを書き込み、メディアを変更することによって、印刷することができる。
【００３８】
ユーザが選択したメディアの種類が、印刷しようとしている元の保存ジョブ６１のうちで、解像度が低くなるだけのデータであれば、そのまま解像度をプリントファイル８０に書き込み、イメージデータを変換することによって、再構成する。画処理テーブルをハードディスク６０内の別の保存ジョブ６１から取り出して、印刷するメディアの種類については、その保存ジョブ６１の画処理テーブルをコピーし、プリントファイル８０に書き込み、再構成すれば、印刷することができる。
【００３９】
上記実施例によれば、ユーザが、保存ジョブ６１に関して、メディアの種類を変更して印刷をしようとする場合に、再度送信を行う手間と送信にかかる時間とを無駄にかけることなく、効率よく印刷することができる。
【００４０】
また、メディアの種類と印字モードのメディア対応表６２とは、常に最新のものであることが望ましいので、ハードディスク６０内のメディア対応表６２を随時更新できるようにする。
【００４１】
インタフェースとしてネットワークを介しているので、プリントジョブが送られてこない間、ネットワーク上の、情報管理装置３００に存在している最新のメディア対応表６２を、常に検索する。そして、印刷装置１００のハードディスク６０内に保存されている古いメディア対応表６２を、最新のメディア対応表６２と差し替える。
【００４２】
上記実施例によれば、再印刷するときにおける印刷装置１００の負担が減り、しかも、保存ジョブ６１を印刷するときに、メディアを変更することができる。
【００４３】
従来は全く変更できなかった保存ジョブ６１のメディアを、同じ条件のものという限定で、変更することができる。したがって、再印刷するときのユーザの負担を軽減することができる。
【００４４】
上記実施例は、印刷ジョブを記憶する手段と、メディアに対する印字モードのメディア対応表６２を記憶する手段と、上記メディア対応表を自動的にネットワークから取得する手段と、メディア対応表６２からの変更可能メディア検出手段とを有する。したがって、上記実施例では、ハードディスク６０に保存された保存ジョブ６１を印刷するときに、印刷装置１００側で印刷するメディアの種類を変更することができる。
【００４５】
上記実施例では、ネットワーク上の情報管理装置３００に格納されている最新のメディア対応表６２を、ユーザの指定方法で取得することによって、常に新しいメディアの種類に対応させることができる。
【００４６】
上記実施例では、保存ジョブ６１と同じ印字モードにあるメディアを検出し、選択候補として提示するので、選択できるメディアの種類をできるだけ増やすことができる。
【００４７】
また、上記実施例では、ハードディスク６０内の他の保存ジョブ６１から画処理テーブルを置き換えることができるメディアも選択候補とする。
【００４８】
さらに、上記実施例では、最新のメディア対応表を、ユーザが手動で取得するか、指定した時刻に自動的に最新のメディア対応表を取得するか、または等間隔でネットワーク上の情報管理装置を検索し、自動的に最新のメディア対応表を取得するかを選択できる。
【００４９】
そして、上記実施例では、ハードディスク６０内の保存ジョブ６１のプリントファイル８０内から、画処理テーブルのみを取り出し、置き換えることができる。
【図面の簡単な説明】
【００５０】
【図１】本発明の実施例１である印刷装置１００とホストコンピュータ２００と情報管理装置３００とを示すブロック図である。
【図２】実施例１において、ホストコンピュータ２００から印刷装置１００へ送られるプリントファイル８０の構造例を示す図である。
【図３】実施例１におけるメディア対応表６２の例を示す図である。
【図４】印刷装置１００が保存ジョブを印刷するときの動作を示すフローチャートである。
【図５】実施例１の動作を概念的に示す図である。
【符号の説明】
【００５１】
１００…印刷装置、
１０…ＣＰＵ、
２０…ＲＯＭ、
４０…操作パネル、
５０…ネットワークインタフェース、
６０…ハードディスク、
６１…保存ジョブ、
６２…メディア対応表、
７０…プリンタエンジン、
８０…プリントファイル、
８２…ジョブの各種情報、
８３…画処理テーブル、
８４…画像データ、
２００…ホストコンピュータ。
【図１】
2008023737.tif 000003
【図２】
2008023737.tif 000004
【図３】
2008023737.tif 000005
【図４】
2008023737.tif 000006
【図５】
2008023737.tif 000007